(57)【要約】【課題】より簡単、確実に各種設定の操作をユーザに行わせる。【解決手段】所定の画像を表示するパーソナルコンピュータ（以下、PCと称する）用のモニタの表示を制御するPCにおける、ダイアログ表示制御部１４３が、テレビジョン受像機の表示を制御するために必要な設定に関する情報を、ユーザに入力させるためのダイアログのPC用のモニタへの表示を制御し、設定情報取得部１４４が、PCへのテレビジョン受像機の接続またはユーザの入力によって、テレビジョン受像機の表示を制御するために必要な設定に関する情報を取得し、ダイアログ表示制御部１５２が、取得した設定に関する情報を基に、PCに接続されたテレビジョン受像機の表示状況をユーザに確認させるためのダイアログのテレビジョン受像機への表示を制御する。本発明は、デュアルディスプレイ機能を有するPCに適用することができる。【選択図】図４
2006107014.tif 000002
【特許請求の範囲】
【請求項１】
所定の画像を表示する第１の表示装置の表示を制御する表示制御装置において、
前記第１の表示装置とは別の、第２の表示装置の表示を制御するために必要な設定に関する情報を、ユーザに入力させるための第１の画像の前記第１の表示装置への表示を制御する第１の表示制御手段と、
自分への前記第２の表示装置の接続または前記ユーザの入力によって、前記第２の表示装置の表示を制御するために必要な設定に関する情報を取得する設定情報取得手段と、
取得した設定に関する情報を基に、自分に接続された第２の表示装置の表示状況をユーザに確認させるための第２の画像の前記第２の表示装置への表示を制御する第２の表示制御手段と
を含むことを特徴とする表示制御装置。
【請求項２】
前記第２の画像が前記第２の表示装置に表示されている時間を計測する時間計測手段をさらに含み、
前記第２の表示制御手段は、前記時間計測手段が計測している前記時間が、所定の制限時間を超えた場合、前記第２の表示装置の表示を制御するために必要な前記設定が完了しなかったことを示す第３の画像の前記第１の表示装置への表示を制御する
ことを特徴とする請求項１に記載の表示制御装置。
【請求項３】
前記第２の表示装置は、テレビジョン受像機である
ことを特徴とする請求項１に記載の表示制御装置。
【請求項４】
所定の画像を表示する第１の表示装置の表示を制御する表示制御装置の表示制御方法において、
前記第１の表示装置とは別の、第２の表示装置の表示を制御するために必要な設定に関する情報を、ユーザに入力させるための第１の画像の前記第１の表示装置への表示を制御する第１の表示制御ステップと、
前記表示制御装置への前記第２の表示装置の接続または前記ユーザの入力によって、前記第２の表示装置の表示を制御するために必要な設定に関する情報を取得する設定情報取得ステップと、
取得した設定に関する情報を基に、前記表示制御装置に接続された第２の表示装置の表示状況をユーザに確認させるための第２の画像の前記第２の表示装置への表示を制御する第２の表示制御ステップと
を含むことを特徴とする表示制御方法。
【請求項５】
所定の画像を表示する第１の表示装置の表示を制御する表示制御装置の表示制御用のプログラムにおいて、
前記第１の表示装置とは別の、第２の表示装置の表示を制御するために必要な設定に関する情報を、ユーザに入力させるための第１の画像の前記第１の表示装置への表示を制御する第１の表示制御ステップと、
前記表示制御装置への前記第２の表示装置の接続または前記ユーザの入力によって、前記第２の表示装置の表示を制御するために必要な設定に関する情報を取得する設定情報取得ステップと、
取得した設定に関する情報を基に、前記表示制御装置に接続された第２の表示装置の表示状況をユーザに確認させるための第２の画像の前記第２の表示装置への表示を制御する第２の表示制御ステップと
を含むことを特徴とするコンピュータが読み取り可能なプログラムが記録されている記録媒体。
【請求項６】
所定の画像を表示する第１の表示装置の表示を制御する表示制御装置のコンピュータに、表示制御を行わせるプログラムにおいて、
前記第１の表示装置とは別の、第２の表示装置の表示を制御するために必要な設定に関する情報を、ユーザに入力させるための第１の画像の前記第１の表示装置への表示を制御する第１の表示制御ステップと、
前記表示制御装置への前記第２の表示装置の接続または前記ユーザの入力によって、前記第２の表示装置の表示を制御するために必要な設定に関する情報を取得する設定情報取得ステップと、
取得した設定に関する情報を基に、前記表示制御装置に接続された第２の表示装置の表示状況をユーザに確認させるための第２の画像の前記第２の表示装置への表示を制御する第２の表示制御ステップと
を含むことを特徴とするプログラム。
【発明の詳細な説明】
【技術分野】
【０００１】
本発明は、表示制御装置および方法、記録媒体、並びにプログラムに関し、特に、デュアルディスプレイの機能を利用するための設定を簡易にすることができるようにした表示制御装置および方法、記録媒体、並びにプログラムに関する。
【背景技術】
【０００２】
従来、１台のパーソナルコンピュータ（以下、PCと称する）から２台または２台以上の表示装置に対してビデオ出力を行う、デュアルディスプレイ（マルチモニタ）という機能（以下、デュアルディスプレイ機能と称する）がある。
【０００３】
デュアルディスプレイ機能を用いる場合、通常、１台のPCに対して、２台のPC用のディスプレイ（モニタ）が利用される。
【０００４】
また、デュアルディスプレイ機能を用いる場合、PCに２個のビデオカード（グラフィックスボード）を設置するか、またはビデオ出力が２系統あるビデオカードを設置する必要がある。
【０００５】
デュアルディスプレイ機能のためのビデオカードに関する技術として、例えば、特許文献１には、所定のコンピュータバスを有するコンピュータに使用可能であって、２個のディスプレイチャンネルを備え、その各々のディスプレイチャンネルに接続される２個のビデオディスプレイに対して、同時にビデオ像を発生するデュアルディスプレイカードの技術（構成）が開示されている。
【特許文献１】特開平６−１７５６２７号公報
【発明の開示】
【発明が解決しようとする課題】
【０００６】
しかしながら、PCにデュアルディスプレイ機能を用い、そのPCに接続される２台の表示装置の内、１台をPC用のディスプレイとし、１台をテレビジョン受像機（以下、TV受像機と称する）とする場合に、PCから出力される画像をTV受像機に表示させるとき、ユーザがPCのTV受像機への設定を間違ってしまうと、TV受像機に画像が表示されないことがある。
【０００７】
PCは、設定されている方式で、TV受像機に画像データを出力し、TV受像機は、表示可能（処理可能）な画像データが供給された場合、正常に画像を表示するが、表示できない（処理できない）画像データが供給された場合、正常に画像を表示できないので、TV受像機の画面に画像を表示させるためには、ユーザが正しく設定しなければならない。
【０００８】
また、PCが、TV受像機に各種設定ウィザードやグラフィカルユーザインターフェース（以下、GUIと称する）の画像などの画像データを出力していても、TV受像機の画面に画像が表示されていない状況下では、ユーザは、設定ウィザードやGUIの画像を見ることはできない。
【０００９】
さらに、ユーザは、TV受像機の電源がオフになっていることを忘れており、TV受像機の電源がオフなため画像が表示されていないという可能性もある。
【００１０】
以上のことから、PCにそれほど詳しくない、一般的なユーザは、デュアルディスプレイ機能の利用のための設定の操作を困難なものと感じてしまうという課題があった。また、このようなユーザは、設定の誤りに気づかずに、PCまたはTV受像機が故障していると誤認してしまう可能性があるという課題があった。
【００１１】
本発明は、このような状況に鑑みてなされたものであり、より簡単、確実に各種設定の操作をユーザに行わせることができるようにするものである。
【課題を解決するための手段】
【００１２】
本発明の表示制御装置は、第１の表示装置とは別の、第２の表示装置の表示を制御するために必要な設定に関する情報を、ユーザに入力させるための第１の画像の第１の表示装置への表示を制御する第１の表示制御手段と、自分への第２の表示装置の接続またはユーザの入力によって、第２の表示装置の表示を制御するために必要な設定に関する情報を取得する設定情報取得手段と、取得した設定に関する情報を基に、自分に接続された第２の表示装置の表示状況をユーザに確認させるための第２の画像の第２の表示装置への表示を制御する第２の表示制御手段とを含むことを特徴とする。
【００１３】
表示制御装置は、第２の画像が第２の表示装置に表示されている時間を計測する時間計測手段をさらに含み、第２の表示制御手段は、時間計測手段が計測している時間が、所定の制限時間を超えた場合、第２の表示装置の表示を制御するために必要な設定が完了しなかったことを示す第３の画像の第１の表示装置への表示を制御するようにすることができる。
【００１４】
第２の表示装置は、テレビジョン受像機であるようにすることができる。
【００１５】
本発明の表示制御方法は、第１の表示装置とは別の、第２の表示装置の表示を制御するために必要な設定に関する情報を、ユーザに入力させるための第１の画像の第１の表示装置への表示を制御する第１の表示制御ステップと、表示制御装置への第２の表示装置の接続またはユーザの入力によって、第２の表示装置の表示を制御するために必要な設定に関する情報を取得する設定情報取得ステップと、取得した設定に関する情報を基に、表示制御装置に接続された第２の表示装置の表示状況をユーザに確認させるための第２の画像の第２の表示装置への表示を制御する第２の表示制御ステップとを含むことを特徴とする。
【００１６】
本発明の記録媒体のプログラムは、第１の表示装置とは別の、第２の表示装置の表示を制御するために必要な設定に関する情報を、ユーザに入力させるための第１の画像の第１の表示装置への表示を制御する第１の表示制御ステップと、表示制御装置への第２の表示装置の接続またはユーザの入力によって、第２の表示装置の表示を制御するために必要な設定に関する情報を取得する設定情報取得ステップと、取得した設定に関する情報を基に、表示制御装置に接続された第２の表示装置の表示状況をユーザに確認させるための第２の画像の第２の表示装置への表示を制御する第２の表示制御ステップとを含むことを特徴とする。
【００１７】
本発明のプログラムは、第１の表示装置とは別の、第２の表示装置の表示を制御するために必要な設定に関する情報を、ユーザに入力させるための第１の画像の第１の表示装置への表示を制御する第１の表示制御ステップと、表示制御装置への第２の表示装置の接続またはユーザの入力によって、第２の表示装置の表示を制御するために必要な設定に関する情報を取得する設定情報取得ステップと、取得した設定に関する情報を基に、表示制御装置に接続された第２の表示装置の表示状況をユーザに確認させるための第２の画像の第２の表示装置への表示を制御する第２の表示制御ステップとをコンピュータに実行させることを特徴とする。
【００１８】
本発明においては、第１の表示装置とは別の、第２の表示装置の表示を制御するために必要な設定に関する情報を、ユーザに入力させるための第１の画像の第１の表示装置への表示が制御され、表示制御装置への第２の表示装置の接続またはユーザの入力によって、第２の表示装置の表示を制御するために必要な設定に関する情報が取得され、取得された設定に関する情報を基に、表示制御装置に接続された第２の表示装置の表示状況をユーザに確認させるための第２の画像の第２の表示装置への表示が制御される。
【発明の効果】
【００１９】
本発明によれば、デュアルディスプレイ機能を利用することができる。また、本発明によれば、より簡単、確実に各種設定の操作をユーザに行わせることができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
請求項１に記載の表示制御装置は、所定の画像を表示する第１の表示装置（例えば、図１のPCモニタ１１）の表示を制御する表示制御装置（例えば、図１のPC１）であって、第１の表示装置とは別の、第２の表示装置（例えば、図１のTV受像機１２）の表示を制御するために必要な設定に関する情報（例えば、図９のプルダウンメニュー２３２およびプルダウンメニュー２３３の情報）を、ユーザに入力させるための第１の画像（例えば、図９のダイアログ２３１）の第１の表示装置への表示を制御する第１の表示制御手段（例えば、図４のダイアログ表示制御部１４３）と、自分への第２の表示装置の接続またはユーザの入力によって、第２の表示装置の表示を制御するために必要な設定に関する情報を取得する設定情報取得手段（例えば、図４の設定情報取得部１４４）と、取得した設定に関する情報を基に、自分に接続された第２の表示装置の表示状況をユーザに確認させるための第２の画像（例えば、図１１のダイアログ２７１）の第２の表示装置への表示を制御する第２の表示制御手段（例えば、図４のダイアログ表示制御部１５２）とを含むことを特徴とする。
【００２３】
請求項２に記載の表示制御装置は、第２の画像が第２の表示装置に表示されている時間を計測する時間計測手段（例えば、図４の時間計測部１５３）をさらに含み、第２の表示制御手段は、時間計測手段が計測している時間が、所定の制限時間（例えば、図１１のダイアログ２７１の“３０秒”）を超えた場合、第２の表示装置の表示を制御するために必要な設定が完了しなかったことを示す第３の画像（例えば、図１２のダイアログ２９１）の第１の表示装置への表示を制御するようにすることができる。
【００２４】
請求項３に記載の表示制御装置は、第２の表示装置が、テレビジョン受像機（例えば、図１のTV受像機１２）であるようにすることができる。
【００２５】
請求項４に記載の表示制御方法は、所定の画像を表示する第１の表示装置（例えば、図１のPCモニタ１１）の表示を制御する表示制御装置（例えば、図１のPC１）の表示制御方法であって、第１の表示装置とは別の、第２の表示装置（例えば、図１のTV受像機１２）の表示を制御するために必要な設定に関する情報（例えば、図９のプルダウンメニュー２３２およびプルダウンメニュー２３３の情報）を、ユーザに入力させるための第１の画像（例えば、図９のダイアログ２３１）の第１の表示装置への表示を制御する第１の表示制御ステップ（例えば、図５のステップＳ５の処理）と、表示制御装置への第２の表示装置の接続またはユーザの入力によって、第２の表示装置の表示を制御するために必要な設定に関する情報を取得する設定情報取得ステップ（例えば、図５のステップＳ６の処理）と、取得した設定に関する情報を基に、表示制御装置に接続された第２の表示装置の表示状況をユーザに確認させるための第２の画像（例えば、図１１のダイアログ２７１）の第２の表示装置への表示を制御する第２の表示制御ステップ（例えば、図７のステップＳ４７の処理）とを含むことを特徴とする。
【００２６】
請求項５に記載の記録媒体のプログラムは、所定の画像を表示する第１の表示装置（例えば、図１のPCモニタ１１）の表示を制御する表示制御装置（例えば、図１のPC１）の表示制御用のプログラムであって、第１の表示装置とは別の、第２の表示装置（例えば、図１のTV受像機１２）の表示を制御するために必要な設定に関する情報（例えば、図９のプルダウンメニュー２３２およびプルダウンメニュー２３３の情報）を、ユーザに入力させるための第１の画像（例えば、図９のダイアログ２３１）の第１の表示装置への表示を制御する第１の表示制御ステップ（例えば、図５のステップＳ５の処理）と、表示制御装置への第２の表示装置の接続またはユーザの入力によって、第２の表示装置の表示を制御するために必要な設定に関する情報を取得する設定情報取得ステップ（例えば、図５のステップＳ６の処理）と、取得した設定に関する情報を基に、表示制御装置に接続された第２の表示装置の表示状況をユーザに確認させるための第２の画像（例えば、図１１のダイアログ２７１）の第２の表示装置への表示を制御する第２の表示制御ステップ（例えば、図７のステップＳ４７の処理）とを含むことを特徴とする。
【００２７】
請求項６に記載のプログラムは、所定の画像を表示する第１の表示装置（例えば、図１のPCモニタ１１）の表示を制御する表示制御装置（例えば、図１のPC１）のコンピュータに、表示制御を行わせるプログラムであって、第１の表示装置とは別の、第２の表示装置（例えば、図１のTV受像機１２）の表示を制御するために必要な設定に関する情報（例えば、図９のプルダウンメニュー２３２およびプルダウンメニュー２３３の情報）を、ユーザに入力させるための第１の画像（例えば、図９のダイアログ２３１）の第１の表示装置への表示を制御する第１の表示制御ステップ（例えば、図５のステップＳ５の処理）と、表示制御装置への第２の表示装置の接続またはユーザの入力によって、第２の表示装置の表示を制御するために必要な設定に関する情報を取得する設定情報取得ステップ（例えば、図５のステップＳ６の処理）と、取得した設定に関する情報を基に、表示制御装置に接続された第２の表示装置の表示状況をユーザに確認させるための第２の画像（例えば、図１１のダイアログ２７１）の第２の表示装置への表示を制御する第２の表示制御ステップ（例えば、図７のステップＳ４７の処理）とを実行させる。
【００２８】
以下に、本発明の実施の形態について図面を参照して説明する。
【００２９】
図１は、本発明に係る表示制御装置であるPC１の一実施の形態を示すブロック図である。
【００３０】
PC１には、汎用のPC用のモニタ（ディスプレイ）（以下、PCモニタと称する）１１およびCRT，LCD（Liquid Crystal Display）、またはPDP（Plasma Display Panel）などからなるTV受像機１２が接続されている。
【００３１】
PCモニタ１１は、PC１から出力された画像を表示する。同様に、TV受像機１２は、PC１から出力された画像を表示する。
【００３２】
このとき、PC１は、同じ画像をPCモニタ１１およびTV受像機１２に出力し、表示させることができる。また、PC１は、異なる画像をPCモニタ１１およびTV受像機１２のそれぞれに出力し、表示させることができる。さらに、PC１は、PCモニタ１１の画面およびTV受像機１２の画面を１つのモニタの画面として利用することもできる。すなわち、PC１は、いわゆるディアルディスプレイ機能を有するパーソナルコンピュータである。
【００３３】
また、PC１は、主制御部２１、並びにコンテンツ記録部２２−１およびコンテンツ記録部２２−２により構成されている。主制御部２１、並びにコンテンツ記録部２２−１およびコンテンツ記録部２２−２は、ネットワーク２３を介して相互に接続されている。
【００３４】
なお、ネットワーク２３の形態は特に限定されず、例えば、イーサネット（登録商標）
等で構成することが可能である。また、ネットワーク２３は省略可能である。すなわち、主制御部２１、コンテンツ記録部２２−１、およびコンテンツ記録部２２−２のそれぞれは、ネットワーク２３を介在することなく直接通信を行ってもよい。
【００３５】
以下、コンテンツ記録部２２−１およびコンテンツ記録部２２−２を個々に区別する必要がない場合、単に、コンテンツ記録部２２と称する。
【００３６】
図１で示される例では、PC１には２台のコンテンツ記録部２２が搭載されているが、コンテンツ記録部２２の搭載数は、図１の例に限定されず任意の数でよい。同様に、主制御部２１の搭載数も任意の数でよい。
【００３７】
図２は、主制御部２１の構成の例を示すブロック図である。図２で示される主制御部２１において、CPU５１は、ROM５２に記憶されているプログラム、または記憶部６０からRAM５３にロードされたプログラムに従って各種の処理を実行する。RAM５３にはまた、CPU５１が各種の処理を実行する上において必要なデータなども適宜記憶される。
【００３８】
CPU５１，ROM５２、およびRAM５３は、バス５４を介して相互に接続されている。この
バス５４にはまた、入出力インターフェース５５も接続されている。
【００３９】
入出力インターフェース５５には、デュアルディスプレイ機能を有するビデオカード（グラフィックスボード）からなる表示制御部５６、スピーカ５７、リモートコントローラ（以下、リモコンと称する）７１からの信号である赤外線を受光する受光部５８、キーボードおよびマウスなどよりなる入力部５９、ハードディスクなどより構成される記憶部６０、並びにネットワーク２３を介しての他のブロック（図１で示される、コンテンツ記録部２２−１またはコンテンツ記録部２２−２）との通信処理を制御する通信部６１が接続されている。
【００４０】
表示制御部５６には、PCモニタ１１およびTV受像機１２が接続されている。すなわち、表示制御部５６は、PCモニタ１１用のビデオ出力端子およびTV受像機１２用のビデオ出力端子、例えば、Dsub（D subminiature）端子、DVI（Digital Visual Interface）端子、Ｓ（Separate）端子、およびＤ（Detection）端子などの２系統の出力端子を備えている。
【００４１】
なお、１個のビデオカードである表示制御部５６に、２系統の出力端子が設けられているように説明したが、デュアルディスプレイ機能を実現するために、２個のビデオカード、すなわち、２つの表示制御部５６を入出力インターフェース５５に接続し、一方の表示制御部５６にPCモニタ１１を接続し、他方の表示制御部５６にTV受像機１２を接続するようにしてもよい。
【００４２】
また、通信部６１は、ネットワーク２３とは異なる形態のネットワークとも接続可能である。
【００４３】
入出力インターフェース５５にはまた、必要に応じてドライブ６２が接続され、磁気ディスク、光ディスク、光磁気ディスク、或いは半導体メモリなどのリムーバブル記録媒体６３が適宜装着され、それらから読み出されたコンピュータプログラムやデータが、必要に応じて記憶部６０にインストールされる。
【００４４】
図３は、コンテンツ記録部２２−１の構成の例を示すブロック図である。
【００４５】
図３で示されるコンテンツ記録部２２−１（コンテンツ記録部２２）において、CPU８１は、ROM８２に記憶されているプログラムに従って各種の処理を実行する。或いは、CPU８１は、図１の主制御部２１からネットワーク２３を介して送信されてきたプログラムを、ネットワーク通信制御部８８とバス８７とを介して受信し、RAM８３にロードする。そして、CPU８１は、そのプログラムに従って各種の処理を実行することもある。RAM８３にはまた、CPU８１が各種の処理を実行する上において必要なデータなども適宜記憶される。
【００４６】
CPU８１，ROM８２、およびRAM８３は、バス８４を介して相互に接続されている。このバス８４にはまた、コンテンツ取得部８５およびHDD（Hard Disk Drive）８６が接続
されている。
【００４７】
コンテンツ取得部８５は、複数の放送局から同時間帯に放送される各放送番組（コンテンツ）のそれぞれを同時に受信（取得）できるように構成される。具体的には、例えば、図３で示される例においては、コンテンツ取得部８５は、３つの放送局のそれぞれから放送される３つの放送番組を同時に受信できるように構成されている。すなわち、コンテンツ取得部８５には、３つのチューナ１０１−１乃至チューナ１０１−３、３つのA/D（Analog to Digital）変換部１０２−１乃至A/D変換部１０２−３、および３つのエンコーダ１０３−１乃至エンコーダ１０３−３が設けられている。
【００４８】
なお、以下、３つのチューナ１０１−１乃至チューナ１０１−３のそれぞれを個々に区別する必要がないとき、単に、チューナ１０１と称する。同様に、３つのA/D変換部１０２−１乃至A/D変換部１０２−３のそれぞれを個々に区別する必要がないとき、単に、A/D変換部１０２と称する。また、３つのエンコーダ１０３−１乃至エンコーダ１０３−３のそれぞれを個々に区別する必要がないとき、単に、エンコーダ１０３と称する。
【００４９】
チューナ１０１は、図示せぬアンテナに受信された地上波または衛星波のテレビジョン放送の放送電波を復調し、その結果得られる映像信号と音声信号をA/D変換部１０２に供給する。
【００５０】
すなわち、CPU８１により指定されたチャンネルの放送電波、より正確には、そのチャンネルが割り当てられた放送局から放送された放送番組を構成する電波がアンテナに受信されると、チューナ１０１は、それを復調して、その結果得られるアナログの映像信号と音声信号をA/D変換部１０２に供給する。
【００５１】
なお、このように、放送番組は放送局から放送されるものであるが、以下、説明の簡略上、（その放送局が割り当てられている）チャンネルから放送番組が放送されるといった表現で説明していく。
【００５２】
A/D変換部１０２は、チューナ１０１から供給されたアナログの映像信号と音声信号に対してA/D変換を施し、その結果得られるデジタルの映像信号と音声信号をエンコーダ１０３に供給する。なお、以下、A/D変換部１０２から出力されるデジタル信号、すなわち、所定の放送番組を構成するデジタルの映像信号と音声信号とをまとめて、コンテンツデータと称する。
【００５３】
エンコーダ１０３は、A/D変換部１０２から供給されるコンテンツデータを、例えばMPEG（Moving Picture Experts Group）方式でエンコード（圧縮符号化）した上で、記録制御部１０４に供給する。なお、以下、エンコーダ１０３から出力されるエンコード済みのコンテンツデータを、圧縮コンテンツデータと称する。
【００５４】
記録制御部１０４は、エンコーダ１０３−１乃至エンコーダ１０３−３のそれぞれから供給される圧縮コンテンツデータのそれぞれを、ファイル形式でHDD８６に記憶させる。
【００５５】
また、HDD８６の録画単位は必ずしも１つの放送番組とはならず、正確には、１つの録画予約で特定される所定のチャンネルの放送内容となる。この放送内容には、１以上の放送番組が含まれ得る（さらに、必ずしも放送番組の全てが含まれるとは限らず、放送番組の一部分のみが含まれることもある）。従って、HDD８６に記録される１つのファイルには、所定のチャンネルから放送された１つの放送番組が含まれることもあるし、そのチャンネルから放送された２以上の放送番組が含まれることもある。
【００５６】
さらに、HDD８６には、録画された放送番組の番組情報（メタデータ）も記憶される。
【００５７】
なお、本実施の形態では、HDD８６に記憶される番組情報は、ネットワーク２３に接続される他のサーバ（図示せず）から供給されるとする。すなわち、本実施の形態においては、CPU８１が、ネットワーク２３とネットワーク通信制御部８８を介して各放送番組の番組情報を適宜取得し、HDD８６に記憶させるとする。
【００５８】
ただし、番組情報の取得方法は、本実施の形態の例に限定されず任意の方法でよい。例えば、コンテンツ取得部８５が、受信された地上波のテレビジョン放送信号の垂直ブランキング期間から番組情報を抽出したり、受信された衛星波のテレビジョン放送信号から番組情報を抽出したりするといった方法でもよい。
【００５９】
ところで、CPU８１はまたバス８７に接続されており、このバス８７にはまたネットワーク通信制御部８８が接続されている。ネットワーク通信制御部８８は、ネットワーク２３を介しての他のブロック（図１で示される例では、主制御部２１等）との通信処理を制御する。
【００６０】
なお、コンテンツ記録部２２−２もコンテンツ記録部２２−１と同様に構成されるので、コンテンツ記録部２２−２の説明は省略する。以下、必要に応じて図３をコンテンツ記録部２２−２の構成としても適宜引用する。
【００６１】
また、上述した例では、PC１に搭載されるチューナの台数は６台とされた。すなわち、コンテンツ記録部２２−１に３台のチューナ１０１−１乃至１０１−３が搭載され、コンテンツ記録部２２−１に３台のチューナ１０１−１乃至１０１−３が搭載されるとされた（そのように図示されている）。しかしながら、PC１に搭載されるチューナの台数は、上述した例に限定されず任意の台数でよい。また、チューナの搭載場所も特に限定されず、例えば、主制御部２１に任意の台数のチューナが搭載されてもよい。
【００６２】
図４は、主制御部２１のCPU５１が実行する表示設定プログラム１３１および統合AV（Audio Visual）アプリケーションプログラム１３２の機能の構成の例を示すブロック図である。
【００６３】
表示制御プログラム１３１は、PC１から出力される画像をTV受像機１２に表示させるための設定を行う。
【００６４】
表示設定プログラム１３１は、ユーザ認証部１４１、検出部１４２、ダイアログ表示制御部１４３、および設定情報取得部１４４を含むように構成される。
【００６５】
統合AVアプリケーションプログラム１３２は、音楽や画像の再生、記録などを行う。
【００６６】
統合AVアプリケーションプログラム１３２は、ウィンドウ生成部１５１、ダイアログ表示制御部１５２、および時間計測部１５３を含むように構成される。
【００６７】
グラフィックスドライバ１３３は、ビデオカードからなる表示制御部５６を制御し、表示設定プログラム１３１および統合AVアプリケーションプログラム１３２から供給される画像の表示の指示および画像データを基に、PCモニタ１１若しくはTV受像機１２のいずれか、またはPCモニタ１１およびTV受像機１２の両方に所定の画像データを出力し、画像を表示させる。
【００６８】
表示設定プログラム１３１のユーザ認証部１４１は、PC１にログインするときにユーザによって入力されるアカウントが、PC１を管理する管理者のアカウントであるか否かを判定する。また、ユーザ認証部１４１は、PC１へのログイン時のアカウントが、PC１を管理する管理者のアカウントであるか否かを示す判定結果を検出部１４２に供給する。さらに、ユーザ認証部１４１は、PC１へのログイン時のアカウントが、PC１を管理する管理者のアカウントであるか否かの判定結果をダイアログ表示制御部１４３に供給する。
【００６９】
検出部１４２は、ユーザ認証部１４１からPC１へのログイン時のアカウントが、PC１を管理する管理者のアカウントであることを示す判定結果が供給された場合、表示制御部５６に設けられているビデオ出力端子であって、TV受像機１２が接続されているビデオ出力端子を検出（取得）する。検出部１４２は、検出（取得）したTV受像機１２が接続されているビデオ出力端子を示す情報をダイアログ表示制御部１４３に供給する。
【００７０】
ダイアログ表示制御部１４３は、ユーザ認証部１４１から判定結果および検出部１４２からのTV受像機１２が接続されているビデオ出力端子を示す情報を基に、ダイアログなどの画像データを生成する。例えば、ダイアログ表示制御部１４３は、ユーザ認証部１４１からの判定結果および検出部１４２からの情報を基に、所定のアプリケーションプログラムのウィンドウ、例えば、統合AVアプリケーションプログラム１３２を実行するために生成されるダイアログやGUIなどの画像（以下、統合AVアプリケーションプログラム１３２のウィンドウと称する）を、TV受像機１２に表示させるために必要な設定に関する情報をユーザに入力させるためのダイアログなどの画像データを生成し、その画像データおよび画像の表示の指示をグラフィックスドライバ１３３に供給し、画像を表示させる。
【００７１】
また、ダイアログ表示制御部１４３は、表示されているダイアログのアイコンなどをユーザが操作することで供給される、統合AVアプリケーションプログラム１３２の再起動の指示を取得し、設定情報取得部１４４に統合AVアプリケーションプログラム１３２を再起動させる。
【００７２】
ダイアログ表示制御部１４３は、ユーザ認証部１４１からPC１へのログイン時のアカウントが、PC１を管理する管理者のアカウントではないことを示す判定結果が供給された場合、PC１へのログイン中のユーザにPC１を管理する管理者以外のユーザでは、統合AVアプリケーションプログラム１３２のウィンドウをTV受像機１２に表示させるために必要な設定の操作を行うことができないことをユーザに通知するためのダイアログなどの画像データを生成し、その画像データおよび画像の表示の指示をグラフィックスドライバ１３３に供給し、PCモニタ１１に表示させる。
【００７３】
ダイアログ表示制御部１４３は、統合AVアプリケーションプログラム１３２のダイアログ表示制御部１５２から供給された、統合AVアプリケーションプログラム１３２の設定状況などを通知する所定のデータに応じたダイアログなどの画像を生成し、PCモニタ１１またはTV受像機１２に表示させる。
【００７４】
ダイアログ表示制御部１４３は、ユーザが入力部５９など利用し、PCモニタ１１やTV受像機１２に表示されているダイアログに表示されているアイコンなどを操作したことを示す操作情報を取得する。
【００７５】
設定情報取得部１４４は、ユーザが入力部５９など利用し、PCモニタ１１やTV受像機１２に表示されているダイアログに入力したTV受像機１２のアスペクト比などのTV受像機１２の情報を取得する。
【００７６】
設定情報取得部１４４は、ダイアログ表示制御部１４３から供給された統合AVアプリケーションプログラム１３２の再起動の指令を基に、統合AVアプリケーションプログラム１３２を再起動させる。
【００７７】
設定情報取得部１４４は、取得したTV受像機１２の情報を、統合AVアプリケーションプログラム１３２のウィンドウ生成部１５１に供給する。
【００７８】
統合AVアプリケーションプログラム１３２は、表示設定プログラム１３１の設定情報取得部１４４から、再起動が指示されることにより、再起動する。
【００７９】
統合AVアプリケーションプログラム１３２が再起動した場合、ウィンドウ生成部１５１は、所定のウィンドウを生成し、生成したウィンドウおよびウィンドウの表示の指示をグラフィックスドライバ１３３に供給し、PCモニタ１１やTV受像機１２に表示させる。
【００８０】
ウィンドウ生成部１５１は、表示設定プログラム１３１の設定情報取得部１４４から供給されたTV受像機１２の情報を基に、グラフィックスドライバ１３３に対し、TV受像機１２の画面の解像度およびTV受像機１２に画像データを出力するビデオ出力端子を設定させる。
【００８１】
ダイアログ表示制御部１５２は、TV受像機１２の表示状況をユーザに確認させるためのダイアログなどの画像を生成し、生成した画像データおよび画像の表示の指示をグラフィックドスライバ１３３に供給し、PCモニタ１１やTV受像機１２に画像を表示させる。
【００８２】
ダイアログ表示制御部１５２は、PCモニタ１１やTV受像機１２に表示させているダイアログなどの画像をユーザが操作することで、入力部５９から供給される操作情報を取得する。
【００８３】
ダイアログ表示制御部１５２は、表示設定プログラム１３１のダイアログ表示制御部１４３に、統合AVアプリケーションプログラム１３２の設定状況などを通知するデータを供給する。
【００８４】
時間計測部１５３は、ダイアログ表示制御部１５２が生成したダイアログなどの画像がPCモニタ１１やTV受像機１２に表示されている時間を計測する。また、時間計測部１５３は、ダイアログなどの画像がPCモニタ１１やTV受像機１２に表示されている時間（以下、経過時間と称する）が、予め定められた所定の制限時間を超えたか否かを判定する。
【００８５】
時間計測部１５３は、経過時間が制限時間を超えたと判定した場合、ダイアログ表示制御部１５２に、表示中の画像の表示の終了を指示する。
【００８６】
以下、図５および図６で示される表示の設定の処理のフローチャートおよび図７で示される起動の処理のフローチャートを参照して、PC１における処理を説明する。
【００８７】
なお、図５および図６で示される表示の設定の処理および図７で示される起動の処理の説明においては、テレビ接続ウィザードのダイアログを説明する図８乃至図１０、図１３、および図１４、並びに統合AVアプリケーションプログラム１３２によるウィザードのダイアログを説明する図１１および図１２を参照する。
【００８８】
図５および図６のフローチャートを参照して、PC１の起動時に、ユーザ認証部１４１によって、PC１を操作しているユーザがPC１の管理者のアカウントでPC１にログインしていると判断（判定）された場合における、表示設定プログラム１３１を実行する主制御部２１のCPU５１による、表示の設定の処理を説明する。
【００８９】
ステップＳ１において、検出部１４２は、TV受像機１２が接続されているPC１のビデオ出力端子の情報を取得する。すなわち、例えば、検出部１４２は、PC１に設けられているビデオ出力端子にTV受像機１２が接続されていることで変化するインピーダンスを検出する。例えば、検出部１４２はビデオ出力端子におけるインピーダンスを検出することにより、TV受像機１２が接続されているビデオ出力端子がＤ端子であること示す情報を取得する。
【００９０】
ステップＳ２において、検出部１４２は、PC１にTV受像機１２が接続されているか否かを判定する。すなわち、ステップＳ２の処理において、検出部１４２は、ステップＳ１の処理の結果を基に、PC１にTV受像機１２が接続されているか否かを判定する。
【００９１】
ステップＳ２において、PC１にTV受像機１２が接続されていると判定された場合、ステップＳ３に進み、ダイアログ表示制御部１４３は、統合AVアプリケーションプログラム１３２のウィンドウをTV受像機１２に表示させるための設定の開始を通知する画像を、PCモニタ１１に表示させる。このとき、ダイアログ表示制御部１４３は、例えば、図８で示される、ダイアログ２１１を生成し、グラフィックスドライバ１３３を介し、PCモニタ１１にダイアログ２１１を表示させる。
【００９２】
ここで、図８で示されるウィンドウ２０１は、統合AVアプリケーションプログラム１３２のウィンドウ生成部１５１によって生成され、グラフィックスドライバ１３３を介し、PCモニタ１１に表示される。
【００９３】
統合AVアプリケーションプログラム１３２により表示されているウィンドウ２０１の右上部の操作表示部２０２には、ユーザが入力部５９であるマウスを操作し、図示せぬカーソルを利用して、例えば、ウィンドウ２０１を閉じたり、ウィンドウ２０１のサイズを変更したり、最小化したり、ヘルプ画面などを表示させたりするための複数のボタン（アイコン）が表示されている。
【００９４】
ダイアログ２１１は、ウィンドウ２０１の手前側に表示される。すなわち、ダイアログ２１１の全体が表示され、ウィンドウ２０１のうち、ダイアログ２１１と重なる部分は、ダイアログ２１１により隠される。
【００９５】
テレビ接続ウィザードのダイアログ２１１によって、PC１とTV受像機１２とが接続されているため、統合AVアプリケーションプログラム１３２のウィンドウをTV受像機１２に表示させるための設定を開始することがユーザに通知される。すなわち、例えば、テレビ接続ウィザードのダイアログ２１１には、“お使いのコンピュータにテレビが接続されています。統合AVアプリケーションプログラムのウィンドウをテレビに表示するための設定を行いますか？”などの文章が表示される。
【００９６】
また、ダイアログ２１１には、“次へ”と表示されたボタン２１２が配置されている。すなわち、ユーザによってボタン２１２が押下されることで、次のテレビ接続ウィザードのダイアログ２３１（図９参照）が表示される。
【００９７】
ステップＳ４において、ダイアログ表示制御部１４３は、統合AVアプリケーションプログラム１３２のウィンドウをTV受像機１２に表示させるための設定を行うか否かを判定する。
【００９８】
ステップＳ４において、統合AVアプリケーションプログラム１３２のウィンドウをTV受像機１２に表示させるための設定を行うと判定された場合、すなわち、ユーザが、図８で示されるダイアログ２１１を見て、ボタン２１２を押下した場合、ステップＳ５に進み、ダイアログ表示制御部１４３は、TV受像機１２に関する情報をユーザに入力させるための画像を、PCモニタ１１に表示させる。
【００９９】
すなわち、例えば、図９で示されるように、テレビ接続ウィザードのダイアログ２３１がPCモニタ１１に表示される。
【０１００】
ダイアログ２３１は、ウィンドウ２０１の手前に表示される。
【０１０１】
ダイアログ２３１には、TV受像機１２に関する情報をユーザに入力させるために、例えば、“コンピュータに接続したテレビの情報を入力してください。”などの文章が表示される。
【０１０２】
また、ダイアログ２３１には、TV受像機１２が接続されているビデオ出力端子の名称が表示される。例えば、ダイアログ２３１には、PC１に設けられているビデオ出力端子であって、TV受像機１２が接続されているビデオ出力端子の名称として、図９で示される“画面を出力する端子”の文の右側に、“Ｄ端子”と表示される。この“Ｄ端子”とは、図５のステップＳ１の処理により、検出部１４２によって検出されたビデオ出力端子の情報に基づいてダイアログ２３１に表示されたものである。
【０１０３】
さらに、ダイアログ２３１には、図９で示されるように、TV受像機１２の画面のアスペクト比をユーザに設定（選択）させるためのプルダウンメニュー２３２が配置される。また、ダイアログ２３１には、TV受像機１２が接続されるＤ端子であるビデオ出力端子のＤ端子の種類、すなわち、Ｄ１端子乃至Ｄ４端子（Ｄ５端子であってもよい）のうちのいずれかを、ユーザに設定（選択）させるためのプルダウンメニュー２３３が配置されている。
【０１０４】
ダイアログ２３２には、“前へ”と表示されたボタン２３４および“次へ”と表示されたボタン２３５が配置されている。すなわち、ユーザによってボタン２３４が押下されることで、ダイアログ２３１の前のテレビ接続ウィザードのダイアログ２１１が表示される。また、ユーザによってボタン２３５が押下されることで、TV受像機１２に統合AVアプリケーションプログラム１３２のウィンドウをTV受像機１２に表示させるために必要な設定の情報、すなわち、TV受像機１２の情報が確定され、次のテレビ接続ウィザードのダイアログ２５１（図１０参照）が表示される。
【０１０５】
また、ダイアログ２３１によって、ボタン２３５がユーザに押下されることで、TV受像機１２に画像を表示させるための準備によって、PCモニタ１１の画面が一瞬だけ乱れる可能性があることがユーザに通知される。すなわち、例えば、ダイアログ２３１には、“［次へ］をクリックするとテレビを使用する準備を行うため、一瞬画面が乱れることがあります。”などの文章が表示される。
【０１０６】
ステップＳ６において、設定情報取得部１４４は、ステップＳ５の処理により表示されたダイアログ２３１にユーザが入力したTV受像機１２の情報を取得する。すなわち、設定情報取得部１４４は、例えば、図９のダイアログ２３１で示されるように、TV受像機１２の画面のアスペクト比が“４：３”で、TV受像機１２のビデオ出力端子が“Ｄ４端子”である情報を取得する。
【０１０７】
ステップＳ７において、ダイアログ表示制御部１４３は、TV受像機１２に統合AVアプリケーションプログラム１３２のウィンドウを表示する準備ができた旨を通知する画像を、PCモニタ１１に表示させる。すなわち、例えば、図１０で示されるように、テレビ接続ウィザードのダイアログ２５１がPCモニタ１１に表示される。
【０１０８】
ダイアログ２５１は、ウィンドウ２０１の手前に表示される。
【０１０９】
テレビ接続ウィザードのダイアログ２５１によって、統合AVアプリケーションプログラム１３２のウィンドウをTV受像機１２に表示させるための準備が整ったこと、すなわち、ウィンドウをTV受像機１２に表示させるために必要な、TV受像機１２の情報が取得されたことがユーザに通知される。すなわち、例えば、ダイアログ２５１には、“テレビに表示する準備が整いました。パーソナルコンピュータを再起動して統合AVアプリケーションプログラムのウィンドウをテレビに表示します。”などの文章が表示される。
【０１１０】
また、ダイアログ２５１には、“テレビにて表示を確認してください。※テレビに統合AVアプリケーションプログラムのウィンドウが表示されない場合、しばらく待つと統合AVアプリケーションプログラムのウィンドウはこの画面（コンピュータのモニタ）に戻ります。”などの文章が表示され、詳細は図７のステップＳ４７乃至ステップＳ５５などの処理において後述するが、TV受像機１２に所定の画像が表示され、TV受像機１２に表示される画像をユーザが確認できない場合、所定の時間が経過するとPCモニタ１１に、所定のダイアログが表示される。
【０１１１】
また、ダイアログ２５１には、“統合AVアプリケーションプログラムを再起動”と表示されたボタン２５２が配置されている。
【０１１２】
ステップＳ８において、ダイアログ表示制御部１４３は、統合AVアプリケーションプログラム１３２の再起動が指示されたか否かを判定する。ステップＳ８において、統合AVアプリケーションプログラム１３２の再起動が指示されたと判定された場合、すなわち、ユーザによって、図１０で示されるダイアログ２５１のボタン２５２が押下された場合、ステップＳ９に進み、設定情報取得部１４４は、統合AVアプリケーションプログラム１３２を再起動させる。
【０１１３】
また、このとき、設定情報取得部１４４は再起動の指示と共に、ステップＳ６の処理により取得したTV受像機１２の情報、すなわち、TV受像機１２の画面のアスペクト比やTV受像機１２が接続されているビデオ出力端子の情報を、統合AVアプリケーションプログラム１３２に供給する。
【０１１４】
ステップＳ９において、設定情報取得部１４４は、TV受像機１２にウィンドウを表示させるように設定するパラメータを統合AVアプリケーションプログラム１３２に供給する。
【０１１５】
ここで、再起動した統合AVアプリケーションプログラム１３２の処理を説明する。
【０１１６】
図７は、統合AVアプリケーションプログラム１３２を実行する主制御部２１のCPU５１による、統合AVアプリケーションプログラム１３２の起動がユーザまたは表示設定プログラム１３１から指示された場合の、統合AVアプリケーションプログラム１３２の起動の処理を説明するフローチャートである。
【０１１７】
ステップＳ４１において、ウィンドウ生成部１５１は、統合AVアプリケーションプログラム１３２のウィンドウがTV受像機１２に表示されるように設定されているか否かを判定する。すなわち、例えば、ウィンドウ生成部１５１は、表示設定プログラム１３１から供給されたパラメータによって、ウィンドウをTV受像機１２に表示させるように設定されているか否かを判定する。
【０１１８】
ステップＳ４１において、統合AVアプリケーションプログラム１３２のウィンドウがTV受像機１２に表示されるように設定されていると判定された場合、ステップＳ４２に進み、ウィンドウ生成部１５１は、TV受像機１２に表示するウィンドウを生成する。
【０１１９】
すなわち、例えば、図１１で示されるウィンドウ２０１が生成される。このとき、図１１で示されるウィンドウ２０１は、統合AVアプリケーションプログラム１３２が再起動された後のウィンドウであるが、図８などで示されるPCモニタ１１に表示されるウィンドウ２０１と同じ内容が表示される。
【０１２０】
ステップＳ４３において、ウィンドウ生成部１５１は、TV受像機１２の画面の解像度を調整する。すなわち、ウィンドウ生成部１５１は、図５のステップＳ９の処理により、設定情報取得部１４４から供給されたTV受像機１２の情報、すなわち、TV受像機１２の画面のアスペクト比やTV受像機１２が接続されているビデオ出力端子の情報を基に、グラフィックスドライバ１３３に対し、TV受像機１２の画面の解像度およびTV受像機１２に画像データを出力するビデオ出力端子を設定させる。
【０１２１】
例えば、PC１のＤ１端子にTV受像機１２が接続されている場合、総走査線数は５２５ｉとなり、TV受像機１２の画面の解像度は、総走査線数の５２５ｉに対応する有効画素数の７２０×４８０ピクセルに調整される。
【０１２２】
また、PC１のＤ２端子にTV受像機１２が接続されている場合、総走査線数は５２５ｉまたは５２５ｐとなり、TV受像機１２の画面の解像度は、総走査線数の５２５ｉに対応する有効画素数の７２０×４８０ピクセルまたは総走査線数の５２５ｐに対応する有効画素数の７２０×４８０ピクセルに調整される。
【０１２３】
また、PC１のＤ３端子にTV受像機１２が接続されている場合、総走査線数は５２５ｉ，５２５ｐ、または１１２５ｉのいずれかとなり、TV受像機１２の画面の解像度は、総走査線数の５２５ｉに対応する有効画素数の７２０×４８０ピクセル、総走査線数の５２５ｐに対応する有効画素数の７２０×４８０ピクセル、または総走査線数の１１２５ｉに対応する有効画素数の１９２０×１０８０ピクセルのいずれかに調整される。
【０１２４】
さらにまた、PC１のＤ４端子にTV受像機１２が接続されている場合、総走査線数は５２５ｉ，５２５ｐ，１１２５ｉ、または７５０ｐのいずれかとなり、TV受像機１２の画面の解像度は、総走査線数の５２５ｉに対応する有効画素数の７２０×４８０ピクセル、総走査線数の５２５ｐに対応する有効画素数の７２０×４８０ピクセル、総走査線数の１１２５ｉに対応する有効画素数の１９２０×１０８０ピクセル、または総走査線数の７５０ｐに対応する有効画素数の１２８０×７２０ピクセルのいずれに調整される。
【０１２５】
なお、上述した５２５ｉおよび１１２５ｉの“ｉ”は走査方式がインターレース方式であることを表し、５２５ｐおよび７５０ｐの“ｐ”は走査方式がプログレッシブ方式であることを表している。
【０１２６】
また、ウィンドウ生成部１５２が、グラフィックスドライバ１３３に対し、TV受像機１２の画面の解像度およびTV受像機１２に画像データを出力するビデオ出力端子を設定させるように説明したが、TV受像機１２の画面の解像度の調整（設定）は、例えば、図５のステップＳ９の処理において、設定情報取得部１４４が、図５のステップＳ６の処理により取得したTV受像機１２の情報を基に、グラフィックスドライバ１３３に対し、TV受像機１２の画面の解像度およびTV受像機１２に画像データを出力するビデオ出力端子を設定させるようにしてもよい。
【０１２７】
ステップＳ４４において、ウィンドウ生成部１５１は、TV受像機１２にステップＳ４２の処理で生成されたウィンドウ２０１を表示させる。
【０１２８】
ステップＳ４５において、ダイアログ表示制御部１５２は、PCモニタ１１にアプリケーションボタンを表示する。なお、アプリケーションボタンについては、図２０乃至図２３を参照して後述する。
【０１２９】
ステップＳ４６において、ダイアログ表示制御部１５２は、TV受像機１２の画面の状態に関して、ユーザの判断を得ているか否かを判定する。すなわち、ダイアログ表示制御部１５２は、前回の統合AVアプリケーションプログラム１３２の起動時に既に、TV受像機１２に統合AVアプリケーションプログラム１３２のウィンドウを表示させるための設定が完了しているか否かを判定する。例えば、前回の統合AVアプリケーションプログラム１３２の実行において、TV受像機１２の画面の状態が適切であることがユーザによって判断されたことを示すフラグが設定（記憶）されているか否かが判定される。
【０１３０】
ステップＳ４６において、TV受像機１２の画面の状態に関して、ユーザの判断を得ていないと判定された場合、すなわち、PC１に正しいTV受像機１２の情報が設定されていない場合、ステップＳ４７に進み、ダイアログ表示制御部１５２は、TV受像機１２の画面の状態を確認させるためのメッセージ画像を、TV受像機１２に表示させる。
【０１３１】
すなわち、例えば、図１１で示されるように、統合AVアプリケーションプログラム１３２によるウィザードのダイアログ２７１がTV受像機１２に表示される。
【０１３２】
ダイアログ２７１は、ウィンドウ２０１の手前に表示される。また、ダイアログ２７１には、“はい”と表示されたボタン２７２および“いいえ”と表示されたボタン２７３が配置されている。
【０１３３】
ステップＳ４８において、ダイアログ表示制御部１５２は、ユーザから確認結果が入力されたか否かを判定する。
【０１３４】
すなわち、図１１で示される、統合AVアプリケーションプログラム１３２によるウィザードのダイアログ２７１によって、TV受像機１２の画面に、PC１から出力された画像（ダイアログ２７１）がTV受像機１２の画面に正しく表示されていることをユーザに確認させる。すなわち、例えば、ダイアログ２７１には、“統合AVアプリケーションプログラムのウィンドウの表示先をテレビに変更しました。画面は正しく表示されていますか？”などの文章が表示される。
【０１３５】
ここで、TV受像機１２の画面に正しく表示されているかとは、例えば、TV受像機１２にダイアログ２７１などの画像が表示されているか、またはダイアログ２７１全体がTV受像機１２の画面内に収まっているかなどを意味する。
【０１３６】
ステップＳ４８において、ユーザからの確認結果が入力されていないと判定された場合、すなわち、ユーザがダイアログ２７１のボタン２７２またはボタン２７３を押下していない場合、ステップＳ４９に進み、時間計測部１５３は、ダイアログ２７１を表示している間に経過した経過時間が、予め設定された制限時間、すなわち、ユーザにダイアログ２７１がTV受像機１２の画面に正しく表示されていることを確認させるために設けられた確認時間を超えたか否かを判定する。
【０１３７】
図１１で示されるように、ダイアログ２７１には、例えば“３０秒でコンピュータモニタへの表示に戻ります。”などの文章が表示される。この“３０秒”とは、予め設定された制限時間、すなわち、ユーザにダイアログ２７１がTV受像機１２の画面に正しく表示されていることを確認させるために設けられた確認時間である。なお、確認時間は３０秒に限らない。
【０１３８】
また、ダイアログ２７１に表示されている“３０秒”は、カウントダウンされる。
【０１３９】
ステップＳ４９において、経過時間が確認時間を超えていないと判定された場合、すなわち、ダイアログ２７１に表示されている“３０秒”のカウントダウンが終了していない場合、手続きは、ステップＳ４７に戻り、上述した処理が繰り返される。
【０１４０】
ステップＳ４９において、経過時間が確認時間を超えていると判定された場合、すなわち、ダイアログ２７１に表示されている“３０秒”のカウントダウンが終了した場合、ステップＳ５０に進み、ダイアログ表示制御部１５２は、TV受像機１２の情報のPC１への設定が完了しなかったことを通知する画像を、PCモニタ１１に表示する。
【０１４１】
すなわち、例えば、図１２で示されるように、統合AVアプリケーションプログラム１３２のウィザードによるダイアログ２９１がPCモニタ１１に表示される。
【０１４２】
統合AVアプリケーションプログラム１３２のウィザードのダイアログ２９１によって、ダイアログ２７１がTV受像機１２の画面に正しく表示されていることを、ユーザが確認することができなかったことが推定されたため、PCモニタ１１に画像の出力を戻したことがユーザに通知される。すなわち、例えば、ダイアログ２９１には、“統合AVアプリケーションプログラムのウィンドウの表示先の設定をコンピュータのモニタに戻しました。”などの文章が表示される。
【０１４３】
また、ダイアログ２９１によって、PC１に設けられているビデオ出力端子であって、TV受像機１２が接続されているビデオ出力端子を、ユーザが誤って、TV受像機１２と合っていないビデオ出力端子にTV受像機１２を接続していないかを確認させる内容がユーザに通知される。すなわち、例えば、ダイアログ２９１には、“テレビに表示されていなかった場合は、接続したテレビの端子の能力を確認してください。”などの文章が表示される。
【０１４４】
なお、ダイアログ２７１の“３０秒”をカウントダウンさせ、カウントダウンが終了した場合に、PCモニタ１１に画像の表示を戻すのは、TV受像機１２に画像（ダイアログ２７１）がPC１から正しく出力されていない、例えば、PC１とTV受像機１２とを接続するケーブルが、TV受像機１２のビデオ入力端子に正しく接続されていない、またはTV受像機１２の電源がオフにされている可能性があることなどをユーザに気づかせるためである。
【０１４５】
ダイアログ２９１には、“もう一度やり直す”と表示されたボタン２９２が配置されている。ユーザは、このボタン２９２を押下することで、手続きは、図５のステップＳ１に戻り、上述したステップＳ１の処理から再び表示の設定の処理が開始される。
【０１４６】
ステップＳ５１において、ウィンドウ生成部１５１は、TV受像機１２に表示されている統合AVアプリケーションプログラム１３２のウィンドウ２０１を閉じる。
【０１４７】
ステップＳ５２において、ウィンドウ生成部１５１は、PCモニタ１１に表示する統合AVアプリケーションプログラム１３２のウィンドウを生成する。
【０１４８】
ステップＳ５３において、ウィンドウ生成部１５１は、ステップＳ５２の処理により生成されたウィンドウをPCモニタ１１に表示させる。
【０１４９】
ここで、ステップＳ５２の処理により生成され、ステップＳ５３の処理によりPCモニタ１１に表示される統合AVアプリケーションプログラム１３２のウィンドウは、図１７乃至図１９を参照して後述する。
【０１５０】
ステップＳ５３の後、処理は終了する。
【０１５１】
ステップＳ４１において、統合AVアプリケーションプログラム１３２のウィンドウがTV受像機１２に表示されるように設定されていないと判定された場合、すなわち、統合AVアプリケーションプログラム１３２のウィンドウがPCモニタ１１に表示されるように設定されていた場合、ステップＳ５２に進み、上述した処理が実行される。
【０１５２】
ステップＳ４６において、TV受像機１２の画面の状態に関して、ユーザの判断を得ていると判定された場合、すなわち、前回の統合AVアプリケーションプログラム１３２の起動時に既に、TV受像機１２に統合AVアプリケーションプログラム１３２のウィンドウを表示させるための設定が完了している場合、処理は終了する。
【０１５３】
ステップＳ４８において、ユーザからの確認結果が入力されたと判定された場合、すなわち、ユーザによってダイアログ２７１のボタン２７２またはボタン２７３が押下された場合、ステップＳ５４に進み、ダイアログ表示制御部１５２は、ユーザが画面の状態が適切であると判断したか否かを判定する。
【０１５４】
ダイアログ表示制御部１５２は、ユーザがダイアログ２７１などの画像を見て、TV受像機１２の画面の解像度が、TV受像機１２に対して、最適なものであると判断したか否か、すなわち、ダイアログ２７１の“はい”と表示されたボタン２７２が押下されたか否かを判定する。
【０１５５】
また、ダイアログ２７１には、例えば、“※「いいえ」を選択すると統合AVアプリケーションプログラムのウィンドウはコンピュータのモニタに戻って表示されます。”などの文章が表示される。これは、ダイアログ２７１がTV受像機１２に正しく表示されていない状態で、PC１にTV受像機１２の情報が設定されることを防ぐために、ダイアログ２７１がTV受像機１２に正しく表示されていない場合、すなわち、設定（調整）されたTV受像機１２の画面の解像度が、TV受像機１２に最適なものではない場合、ユーザに“いいえ”と表示されたボタン２７３を押下させるようにするためである。
【０１５６】
このとき、設定されたTV受像機１２の画面の解像度が、TV受像機１２に最適なものではないため、ダイアログ２７１などの画像が正しく表示されていない場合、図５のステップＳ６の処理により、表示されたダイアログ２３１にユーザが入力したTV受像機１２の情報が間違っていたことになる。
【０１５７】
ステップＳ５４において、ユーザが画面の状態を適切ではないと判断されたと判定された場合、すなわち、ユーザによってダイアログ２７１のボタン２７３が押下された場合、ステップＳ５０に戻り、上述した処理が実行される。
【０１５８】
ステップＳ５４において、ユーザが画面の状態が適切であると判断したと判定された場合、すなわち、ユーザによってダイアログ２７１のボタン２７２が押下された場合、ステップＳ５５に進み、ダイアログ表示制御部１５２は、統合AVアプリケーションプログラム１３２の表示の判断の結果を表示設定プログラム１３１に通知し、処理は終了する。
【０１５９】
また、このとき、ダイアログ表示制御部１５２は、ユーザによってTV受像機１２の画面の状態が適切であると判断されたことを示すフラグを設定（記憶）する。
【０１６０】
ここで、図５のステップＳ１０に戻り、表示設定プログラム１３１のダイアログ表示制御部１４３は、図７のステップＳ５５の処理で通知された表示の判断の結果を取得する。
【０１６１】
図６のステップＳ１１において、ダイアログ表示制御部１４３は、ステップＳ１０の処理により取得した表示の判断の結果に応じた画像をTV受像機１２に表示させる。
【０１６２】
すなわち、例えば、図１３で示されるように、テレビ接続ウィザードのダイアログ３１１がTV受像機１２に表示される。
【０１６３】
テレビ接続ウィザードのダイアログ３１１によって、統合AVアプリケーションプログラム１３２のウィンドウをTV受像機１２に表示するための設定が終了したことがユーザに通知される。すなわち、例えば、ダイアログ３１１には、“統合AVアプリケーションプログラムのウィンドウをテレビに表示するための設定が完了しました。”などの文章が表示される。
【０１６４】
また、テレビ接続ウィザードのダイアログ３１１によって、次に統合AVアプリケーションプログラム１３２の起動が、ユーザによって指示された場合、統合AVアプリケーションプログラム１３２のウィンドウは、TV受像機１２に表示されることがユーザに通知される。例えば、ダイアログ３１１には、“次回起動時から統合アプリケーションプログラムのウィンドウはテレビに表示されます。”などの文章が表示される。
【０１６５】
さらに、テレビ接続ウィザードのダイアログ３１１によって、統合AVアプリケーションプログラム１３２のウィンドウの表示先の変更を設定する方法がユーザに通知される。例えば、ユーザは、マイクロソフト社のWindows（登録商標）におけるタスクバー上に表示されるスタートボタンを押下し、アプリケーションプログラムの一覧を表示させ、統合AVアプリケーションプログラム１３２の設定を変更することで、統合AVアプリケーションプログラム１３２のウィンドウの表示先（出力先）を変更可能であることがユーザに通知される。
【０１６６】
すなわち、例えば、ダイアログ３１１には、“※テレビ表示先の設定変更は［スタート］-［すべてのプログラム］‐［統合アプリケーションプログラム］‐［統合アプリケーションプログラムの設定］を選択して、設定を変更することができます。”などの文章が表示される。
【０１６７】
ステップＳ１１の後、処理は終了する。
【０１６８】
ステップＳ４において、統合AVアプリケーションプログラム１３２のウィンドウをTV受像機１２に表示させるための設定を行わないと判定された場合、すなわち、ユーザによって、例えば、ダイアログ２１１が手前に表示されているウィンドウ２０１の操作表示部２０２における“×”の“閉じる”のアイコンが押下された場合、ステップＳ１２に進み、ダイアログ表示制御部１４３は、統合AVアプリケーションプログラム１３２のウィンドウの表示先は後から変更可能である旨を通知する画像を、PCモニタ１１に表示させる。
【０１６９】
すなわち、例えば、図１４で示されるテレビ接続ウィザードのダイアログ３３１が、PCモニタ１１に表示される。
【０１７０】
テレビ接続ウィザードのダイアログ３３１によって、統合AVアプリケーションプログラム１３２のウィンドウは、引き続きPCモニタ１１に表示されることがユーザに通知される。例えば、ダイアログ３３１には、“統合AVアプリケーションプログラムのウィンドウは引き続きコンピュータもモニタに表示されます。”などの文章が表示される。
【０１７１】
また、テレビ接続ウィザードのダイアログ３３１によって、統合AVアプリケーションプログラム１３２のウィンドウの表示先は、所定の統合AVアプリケーションプログラム１３２の設定のダイアログによって、後から変更することが可能であることがユーザに通知される。例えば、ダイアログ３３１には、“表示先は、［設定］ダイアログであとから変更することができます。”などの文章が表示される。
【０１７２】
テレビ接続ウィザードのダイアログ３３１には、“完了”と表示されたボタン３３２が配置され、ユーザによってボタン３３２が押下されることで、ダイアログ３３１は閉じられる。
【０１７３】
さらに、テレビ接続ウィザードのダイアログ３３１には、“次回からこのダイアログを表示しない”と右側に表示される、チェックボックス３３３が配置され、ユーザが、チェックボックス３３３をチェックして、“完了”と表示されたボタン３３２を押下した場合、次回の表示設定プログラム１３１の起動時に、ダイアログ３３１が表示されなくなる。
【０１７４】
ステップＳ８において、統合AVアプリケーションプログラム１３２の再起動が指示されていないと判定された場合、すなわち、ユーザによって、例えば、ダイアログ２５１が手前に表示されているウィンドウ２０１の操作表示部２０２における“×”の“閉じる”のアイコンが押下された場合、ステップＳ１２に進み、上述した処理が実行される。
【０１７５】
なお、ステップＳ１２の処理は、図８乃至図１４で示されるウィンドウ２０１の操作表示部２０２における“×”の“閉じる”のアイコンが押下された場合に常に実行される。
【０１７６】
ステップＳ１２の後、処理は終了する。
【０１７７】
また、ステップＳ２において、PC１にTV受像機１２が接続されていないと判定された場合、処理は終了する。
【０１７８】
なお、図７のステップＳ４７の処理において、TV受像機１２に図１１で示されるダイアログ２７１を表示させ、ユーザにTV受像機１２の画面にダイアログ２７１が正しく表示されているか否かを確認させたが、ダイアログ２７１をPCモニタ１１に表示させ、TV受像機１２に所定の（ダイアログ２７１とは別の）画像や文字などを表示させることで、ユーザにTV受像機１２の画面の状態を確認させるようにしてもよい。
【０１７９】
以上のように、PC１から出力される画像データなどを、TV受像機１２に表示させるための設定において、ユーザはPCモニタ１１に表示されるダイアログを見ながらTV受像機１２の情報を設定し、TV受像機１２の画面の解像度を確認させるための画像を、TV受像機１２に表示させ、ユーザに確認させる。
【０１８０】
これにより、ユーザはTV受像機１２をPC１に接続し、所定のウィザードに従って、PC１から出力される画像データなどを、TV受像機１２に表示させるための設定を行うことができ、ユーザはTV受像機１２に表示させるための設定の段階で、PC１からTV受像機１２への画像データの出力状況およびPC１への設定が必要とされるTV受像機１２の情報の入力ミスなどを、TV受像機１２の画面に表示された画像を見るだけで判断することができる。これにより、ユーザは、より簡単、確実に各種設定の操作を行うことができる。
【０１８１】
また、TV受像機１２の画面の解像度を確認させるための画像（ダイアログ２７１）に制限時間を表示させ、制限時間をカウントダウンさせ、カウントダウンが終了した場合に、PCモニタ１１に画像の表示を戻すことで、TV受像機１２に画像（ダイアログ２７１）がPC１から正しく出力されていない、例えば、PC１とTV受像機１２とを接続するケーブルが、TV受像機１２のビデオ入力端子に正しく接続されていない、またはTV受像機１２の電源がオフにされている可能性があることなどをユーザに気づかせることができる。これにより、ユーザは、より確実に各種設定の操作を行うことができる。
【０１８２】
図１５のフローチャートを参照して、PC１の起動時に、ユーザ認証部１４１によって、PC１を操作しているユーザがPC１の管理者のアカウントでPC１にログインしていないと判断（判定）された場合における、表示設定プログラム１３１を実行する主制御部２１のCPU５１による、表示の設定の処理を説明する。
【０１８３】
ステップＳ７１において、ダイアログ表示制御部１４３は、PC１とTV受像機１２とが接続されているが、PC１の管理者以外のユーザでは、TV受像機１２の表示の設定ができない旨を通知する画像を、PCモニタ１１に表示させる。すなわち、例えば、図１６で示されるように、テレビ接続ウィザードのダイアログ３５１がPCモニタ１１に表示される。
【０１８４】
ここで、図１６で示されるウィンドウ２０１は、統合AVアプリケーションプログラム１３２のウィンドウ生成部１５１によって生成され、グラフィックスドライバ１３３を介し、PCモニタ１１に表示される。
【０１８５】
ダイアログ３５１は、ウィンドウ２０１の手前側に表示される。
【０１８６】
テレビ接続ウィザードのダイアログ３５１によって、PC１とTV受像機１２とが接続されているため、統合AVアプリケーションプログラム１３２のウィンドウをTV受像機１２に表示させることが可能であることがユーザに通知される。すなわち、例えば、ダイアログ３５１には、“お使いのコンピュータにテレビが接続されています。統合AVアプリケーションプログラムのウィンドウをテレビに表示することができます。”などの文章が表示される。
【０１８７】
さらに、テレビ接続ウィザードのダイアログ３５１によって、現在PC１を利用しているユーザでは、PC１に管理者の権限を有するアカウントでログオンしていないため、PC１から出力される統合AVアプリケーションプログラム１３２のウィンドウをTV受像機１２に表示させるための設定を行うことができないことがユーザに通知される。すなわち、例えば、ダイアログ３５１には、“この準備を行うためには、コンピュータの管理者としてログオンする必要があります。このコンピュータの管理者のアカウントを持つユーザに問い合わせるか、コンピュータの管理者のアカウントで再度ログオンしてください。”などの文章が表示される。
【０１８８】
ステップＳ７１の後、処理は終了する。すなわち、例えば、図１６で示されるダイアログ３５１の“閉じる”と表示されたボタン３５２またはウィンドウ２０１の操作表示部２０２における“×”の“閉じる”のアイコンがユーザによって押下（選択）されるまで、ダイアログ３５１は、PCモニタ１１に表示され続け、ボタン３５２または操作表示部２０２における“×”の“閉じる”のアイコンがユーザによって押下（選択）されることで、ウィンドウ２０１およびダイアログ３５１は、閉じられる。
【０１８９】
以上のように、PC１の管理者のアカウントで、PC１にログインされない限り、PC１から出力される画像データなどを、TV受像機１２に表示させるための設定を行うことはできない。
【０１９０】
図１７乃至図１９は、図７のステップＳ５２の処理により生成され、ステップＳ５３の処理によりPCモニタ１１に表示される、統合AVアプリケーションプログラム１３２のウィンドウである、GUIの画像３７１の例を示す図である。なお、以下に説明する統合AVアプリケーションプログラム１３２のウィンドウである、GUIの画像３７１は、図７のステップＳ４２の処理により生成され、ステップＳ４４の処理により表示される統合AVアプリケーションプログラム１３２のウィンドウ２０１であるようにしてもよい。
【０１９１】
図１７で示されるGUIの画像３７１の右上部の操作表示部３８１には、ユーザが入力部５９であるマウスを操作し、図示せぬカーソルを利用して、例えば、GUIの画像３７１を閉じたり、GUIの画像３７１のサイズを変更したり、最小化したり、ヘルプ画面などを表示させたりするための複数のボタン（アイコン）が表示されている。また、GUIの画像３７１の下部には、リモコン７１による操作方法を案内するガイダンス表示３８２が表示されている。
【０１９２】
また、GUIの画像３７１には、アイコン選択領域３８３が設けられている。ユーザは、ガイダンス表示３８２に従って、リモコン７１を操作することで、アイコン３９１−１乃至アイコン３９１−５を上下方向に移動させ、アイコン選択領域３８３に表示されているアイコン（アイコン３９１−１乃至アイコン３９１−５のいずれか）の機能（アプリケーションプログラム）を実行させることができる。
【０１９３】
すなわち、ユーザによって、“テレビ・ビデオ”のアイコン３９１−１が選択された場合、例えば、図１８で示されるように、番組表からテレビ番組を録画予約するアプリケーションプログラムを起動するためのアイコン３９２−１、テレビ番組が放送される日時を指定して録画予約を行うアプリケーションプログラムを起動するためのアイコン３９２−２、および予約一覧を表示させるアプリケーションプログラムを起動するためのアイコン３９２−３が表示される。
【０１９４】
また、ユーザによって、“ミュージック”のアイコン３９１−２が選択された場合、記憶部６０やHDD８６などに記録されている音楽が再生されるアプリケーションプログラムなどが実行され、“フォト”のアイコン３９１−３が選択された場合、写真（静止画像データ）の取り込み、または記憶部６０やHDD８６などに記録されている画像のスライドショーの再生を行うアプリケーションプログラムなどが実行される。
【０１９５】
さらにまた、ユーザによって、“パーソナルビデオ”のアイコン３９１−４が選択された場合、例えば、図１９で示されるように、記憶部６０やHDD８６などに記録されている動画像データのファイルの再生を行うアプリケーションプログラムが実行される。
【０１９６】
図１９で示される例では、アイコン選択領域３８３において、ユーザが選択することで再生される、サムネイル３９３−１乃至サムネイル３９３−４が表示されている。
【０１９７】
また、ユーザによって、“CD・DVD”のアイコン３９１−５が選択された場合、音楽CD（Compact Disc）の録音、再生、またはDVDビデオの再生を行うアプリケーションプログラムなどが実行される。
【０１９８】
次に、図２０乃至図２３を参照して、図７のステップＳ４５の処理でPCモニタ１１に表示される、アプリケーションボタン４１１について説明する。
【０１９９】
図２０で示されるように、PCモニタ１１の画面４０１の操作表示部４０２には、マウスカーソル４０３、スタートボタン４０４、およびアプリケーションボタン４１１が表示されている。
【０２００】
ここで、操作表示部４０２は、例えば、マイクロソフト社のWindows（登録商標）におけるタスクバーに相当し、スタートボタン４０４は、Windows（登録商標）におけるタスクバー上に表示されるスタートボタンに相当する。
【０２０１】
アプリケーションボタン４１１には、統合AVアプリケーションプログラム１３２の名称（アプリケーション名）と、統合AVアプリケーションプログラム１３２のウィンドウがTV受像機１２に表示中であることを示す文言が表示される。
【０２０２】
アプリケーションボタン４１１は、例えば、マイクロソフト社のWindows（登録商標）におけるタスクバー上に表示される起動中のアプリケーションプログラムの一覧を表示するアイコンに相当する。また、アプリケーションボタン４１１上にマウスカーソル４０３が移動された場合、統合AVアプリケーションプログラム１３２のアプリケーション名とともに統合AVアプリケーションプログラム１３２のウィンドウがTV受像機１２で表示中であることを示す通知ウィンドウ４１２が表示される。
【０２０３】
これにより、ユーザは、PCモニタ１１の画面４０１を見ることにより統合AVアプリケーションプログラム１３２のウィンドウがTV受像機１２に表示中であることを容易に知ることができる。したがって、例えば、TV受像機１２の電源がオフされていたり、TV受像機１２の画面がユーザの目の届かない位置にある場合でも、ユーザは統合AVアプリケーションプログラム１３２のウィンドウがTV受像機１２に表示されるように設定されていることをすぐに知ることができる。
【０２０４】
これにより、ユーザは、TV受像機１２の電源をオンしたり、統合AVアプリケーションプログラム１３２のウィンドウをPCモニタ１１に表示させたりするなどの対応をすぐに実行できるようになる。また、TV受像機１２にアプリケーションボタン４１１を表示しないことにより、TV受像機１２の画面全体に統合AVアプリケーションプログラム１３２のウィンドウを表示させることができる。
【０２０５】
ユーザが入力部５９であるマウスを利用して、アプリケーションボタン４１１にマウスカーソル４０３をあわせ、左クリックした場合、例えば、図２１で示されるように、統合AVアプリケーションプログラム１３２のウィンドウがTV受像機１２に表示中であることをユーザに通知する警告ダイアログ４３１がPCモニタ１１に表示される。例えば、警告ダイアログ４３１には、“統合AVアプリはテレビに表示されています。”などの文章が表示される。
【０２０６】
また、警告ダイアログ４３１には、OKボタン４３２が表示され、ユーザによって、OKボタン４３２が押下されることで、警告ダイアログ４３１は閉じられる。
【０２０７】
ユーザが入力部５９であるマウスを利用して、アプリケーションボタン４１１にマウスカーソル４０３をあわせ、右クリックした場合、PCモニタ１１には、例えば、図２２で示されるように、操作メニュー４４１が表示される。
【０２０８】
ユーザは、操作メニュー４４１に表示されている項目を選択することにより、統合AVアプリケーションプログラム１３２のウィンドウに関する操作を行うことができる。例えば、操作メニュー４４１に表示されている“表示位置を調整する”がユーザに選択されることで、統合AVアプリケーションプログラム１３２のウィンドウの表示位置を調整したり、操作メニュー４４１の“コンピュータのモニタに表示する”が選択されることで、統合AVアプリケーションプログラム１３２のウィンドウをPCモニタ１１に表示させたり、操作メニュー４４１の“バージョン情報”が選択されることで、統合AVアプリケーションプログラム１３２のバージョン情報を表示させたり、“閉じる”が選択されることで、統合AVアプリケーションプログラム１３２のウィンドウを閉じたりすることができる。
【０２０９】
統合AVアプリケーションプログラム１３２のウィンドウがTV受像機１２に表示されている場合、操作メニュー４４１の“表示位置を調整する”の項目は選択できないようにされる。また、統合AVアプリケーションプログラム１３２のウィンドウがPCモニタ１１に表示されている場合、操作メニュー４４１の“コンピュータのモニタに表示する”の項目は選択できないようにされる。
【０２１０】
統合AVアプリケーションプログラム１３２のウィンドウがTV受像機１２に表示されている場合に、ユーザによって、PCモニタ１１に表示されている操作メニュー４４１から“コンピュータのモニタに表示する”の項目が選択された場合、図２３で示される切り替え操作ダイアログ４６１がPCモニタ１１に表示される。
【０２１１】
切り替え操作ダイアログ４６１によって、統合AVアプリケーションプログラム１３２のウィンドウの表示先をPCモニタ１１に変更するか否かがユーザに通知される。すなわち、例えば、切り替え操作ダイアログ４６１には、“統合AVアプリは現在テレビに表示されています。表示先をコンピュータのモニタ１１に切り替えますか？（統合AVアプリは終了、再起動されます）”などの文章が表示される。
【０２１２】
切り替え操作ダイアログ４６１において、ユーザによって、“はい”と表示されたボタン４６２が押下された場合、統合AVアプリケーションプログラム１３２のウィンドウの表示がTV受像機１２からPCモニタ１１に切り替えられる。また、ユーザによって、“いいえ”と表示されたボタン４６３が押下された場合、統合AVアプリケーションプログラム１３２のウィンドウはTV受像機１２に表示されたままとなる。これにより、ユーザは、統合AVアプリケーションプログラム１３２のウィンドウの表示をTV受像機１２からPCモニタ１１に容易に切り替えることができる。
【０２１３】
また、切り替え操作ダイアログ４６１には、チェックボックス４６４が配置され、チェックボックス４６４の右側には、“統合AVアプリの起動時にウィンドウをコンピュータのモニタに表示する”などの文章が表示される。すなわち、ユーザが、チェックボックス４６４をチェックして、ボタン４６２またはボタン４６３を押下した場合、次回の統合AVアプリケーションプログラム１３２の起動時から、統合AVアプリケーションプログラム１３２のウィンドウがPCモニタ１１に表示されるように設定される。
【０２１４】
また、TV受像機１２に統合AVアプリケーションプログラム１３２のウィンドウが表示されている場合に、PCモニタ１１にアプリケーションボタン４１１を表示させるようにしたが、PCモニタ１１に統合AVアプリケーションプログラム１３２のウィンドウが表示されている場合に、TV受像機１２にアプリケーションボタン４１１を表示させるようにしてもよい。
【０２１５】
以上のように、統合AVアプリケーションプログラム１３２のウィンドウをPC１の起動中に、簡単に、PC１から出力される画像を表示させる表示装置（PCモニタ１１およびTV受像機１２）の切り替えができるため、ユーザによるPC１の操作性を向上させることができる。
【０２１６】
本発明に係る表示制御装置の実施の形態は、図１に示されるPC１に限定されず、記録媒体の記録および読み出しの制御が可能な画像処理装置であれば構わない。具体的には、例えば、PDA（Personal Digital Assistants）、または携帯電話機等様々な実施の形態が可能である。
【０２１７】
このように、１台のPCに２台以上の表示装置を接続し、画像を表示させるようにした場合、画像が表示される表示領域を広くまたは多くすることができる。第１の表示装置とは別の、第２の表示装置の表示を制御するために必要な設定に関する情報を、ユーザに入力させるための第１の画像の第１の表示装置への表示を制御し、表示制御装置への第２の表示装置の接続またはユーザの入力によって、第２の表示装置の表示を制御するために必要な設定に関する情報を取得し、取得した設定に関する情報を基に、表示制御装置に接続された第２の表示装置の表示状況をユーザに確認させるための第２の画像の第２の表示装置への表示を制御するようにした場合には、簡単な操作でユーザに各種設定を行わせることができる。
【０２１８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または各種のプログラムをインストールすることで、各種の機能を実行することが可能な、例えば汎用のパーソナルコンピュータなどに、記録媒体からインストールされる。
【０２１９】
この記録媒体は、図２で示されるリムーバブル記録媒体６３のように、コンピュータとは別に、ユーザにプログラムを提供するために配布される、プログラムが記録されている磁気ディスク（フレキシブルディスクを含む）、光ディスク（CD-ROM（Compact Disk Read-Only Memory），DVD（Digital Versatile Disc）を含む）、光磁気ディスク（MD（Mini Disc）（商標）を含む）、若しくは半導体メモリなどよりなるパッケージメディアにより構成されるだけでなく、コンピュータに予め組み込まれた状態でユーザに提供される、プログラムが記録されているROM（Read Only Memory）もしくはハードディスクなどで構成される。
【０２２０】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０２２１】
また、本明細書において、記録媒体に格納されるプログラムを記述するステップは、記載された順序に沿って時系列的に行われる処理はもちろん、必ずしも時系列的に処理されなくても、並列的あるいは個別に実行される処理を含むものである。
【図面の簡単な説明】
【０２２２】
【図１】本発明に係るパーソナルコンピュータの構成の例を示すブロック図である。
【図２】図１の主制御部の構成の例を示すブロック図である。
【図３】図１のコンテンツ記録部の構成の例を示すブロック図である。
【図４】表示設定プログラムおよび統合AVアプリケーションプログラムの機能の構成の例を示すブロック図である。
【図５】表示の設定の処理を説明するフローチャートである。
【図６】表示の設定の処理を説明するフローチャートである。
【図７】起動の処理を説明するフローチャートである。
【図８】テレビ接続ウィザードのダイアログを説明する図である。
【図９】テレビ接続ウィザードのダイアログを説明する図である。
【図１０】テレビ接続ウィザードのダイアログを説明する図である。
【図１１】統合AVアプリケーションプログラムによるウィザードのダイアログを説明する図である。
【図１２】統合AVアプリケーションプログラムによるウィザードのダイアログを説明する図である。
【図１３】テレビ接続ウィザードのダイアログを説明する図である。
【図１４】テレビ接続ウィザードのダイアログを説明する図である。
【図１５】表示の設定の処理を説明するフローチャートである。
【図１６】テレビ接続ウィザードの例を示す図である。
【図１７】統合AVアプリケーションプログラムのウィンドウの例を示す図である。
【図１８】統合AVアプリケーションプログラムのウィンドウの例を示す図である。
【図１９】統合AVアプリケーションプログラムのウィンドウの例を示す図である。
【図２０】アプリケーションボタンおよび通知ウィンドウの例を示す図である。
【図２１】統合AVアプリケーションプログラムにより表示される警告ダイアログを示す図である。
【図２２】統合AVアプリケーションプログラムのウィンドウの操作メニューを示す図である。
【図２３】統合AVアプリケーションプログラムのウィンドウを表示するモニタを切り替える切り替え操作ダイアログを示す図である。
【符号の説明】
【０２２３】
１  パーソナルコンピュータ，  １１  PC用のモニタ，  １２  テレビジョン受像機，  ２１  主制御部，  ５１  CPU，  １３１  表示設定プログラム，  １３２  統合AVアプリケーションプログラム，  １４１  ユーザ認証部，  １４２  検出部，  １４３  ダイアログ表示制御部，  １４４  設定情報取得部，  １５１  ウィンドウ生成部，  １５２  ダイアログ表示制御部，  １５３  時間計測部，  ２３１  ダイアログ，  ２３２  プルダウンメニュー，  ２３３  プルダウンメニュー，  ２７１  ダイアログ，  ２９１  ダイアログ
【図１】
2006107014.tif 000003
【図２】
2006107014.tif 000004
【図３】
2006107014.tif 000005
【図４】
2006107014.tif 000006
【図５】
2006107014.tif 000007
【図６】
2006107014.tif 000008
【図７】
2006107014.tif 000009
【図８】
2006107014.tif 000010
【図９】
2006107014.tif 000011
【図１０】
2006107014.tif 000012
【図１１】
2006107014.tif 000013
【図１２】
2006107014.tif 000014
【図１３】
2006107014.tif 000015
【図１４】
2006107014.tif 000016
【図１５】
2006107014.tif 000017
【図１６】
2006107014.tif 000018
【図１７】
2006107014.tif 000019
【図１８】
2006107014.tif 000020
【図１９】
2006107014.tif 000021
【図２０】
2006107014.tif 000022
【図２１】
2006107014.tif 000023
【図２２】
2006107014.tif 000024
【図２３】
2006107014.tif 000025